(57)【要約】【課題】大型化を抑制しつつ高剛性化が可能なピックアップフレームを提供する。【解決手段】ピックアップフレーム８は、金属製の光学ベース３０と、合成樹脂製の支持ベース３１と、を備えている。光学ベース３０は、光学処理部１７を支持する光学ベース本体４１と、光学ベース本体４１と連結され発光素子１１を支持する発光素子支持部４３と、を有している。支持ベース３１は、光学ベース３０を収容する収容部３１ｄと、収容部３１ｄに固定された部材であって発光素子１１の光軸Ａ１の方向において発光素子１１および光学処理部１７の間に一部が配置された第１フレーム部３４と、を有している。【選択図】図３
2010027103.tif 000002
【特許請求の範囲】
【請求項１】
第１光学素子と第２光学素子とを有する光ピックアップ装置に用いられるピックアップフレームであって、
前記第２光学素子を支持する光学ベース本体と、前記光学ベース本体と連結され前記第１光学素子を支持する支持部と、を有する金属製の光学ベースと、
前記光学ベースを収容する収容部と、前記収容部に固定された部材であって前記第１光学素子の光軸方向において前記第１光学素子および前記第２光学素子の間に少なくとも一部が配置されたフレーム部と、を有する合成樹脂製の支持ベースと、
を備えた光ピックアップ装置用ピックアップフレーム。
【請求項２】
前記フレーム部の少なくとも一部は、前記光軸方向において前記光学ベース本体および前記支持部の間に配置されている、
請求項１に記載の光ピックアップ装置用ピックアップフレーム。
【請求項３】
前記フレーム部は、前記光軸方向に直交する第１方向に延びている、
請求項１または２に記載の光ピックアップ装置用ピックアップフレーム。
【請求項４】
前記収容部は、前記光学ベースの側方に配置された第１側方部と、前記光学ベースに対して前記第１側方部の反対側に配置された第２側方部と、を有しており、
前記フレーム部の少なくとも一部は、前記第１側方部と前記第２側方部とを連結している、
請求項１から３のいずれかに記載の光ピックアップ装置用ピックアップフレーム。
【請求項５】
前記支持部は、前記光学ベース本体と隙間を空けて配置され前記第２光学素子が固定された固定部と、前記第１部分を前記光学ベース本体に連結する少なくとも１つの連結部と、を有しており、
前記フレーム部の少なくとも一部は、前記光軸方向において前記光学ベース本体と前記固定部との間に配置されている、
請求項１から４のいずれかに記載の光ピックアップ装置用ピックアップフレーム。
【請求項６】
前記フレーム部は、前記支持部の少なくとも一部が収容された凹部を有している、
請求項１から５のいずれかに記載の光ピックアップ装置用ピックアップフレーム。
【請求項７】
前記光学ベースの厚みは、前記光学ベースの厚みに対応する方向における前記フレーム部の第１寸法以上である、
請求項１から６のいずれかに記載の光ピックアップ装置用ピックアップフレーム。
【請求項８】
光を出射する前記第１光学素子としての発光素子と、
前記発光素子から出射された光を処理する前記第２光学素子としての光学処理部と、
前記光学処理部で処理された光を記録媒体に向けて集光する光照射部と、
請求項１から７のいずれかに記載のピックアップフレームと、
を備えた光ピックアップ装置。
【請求項９】
請求項８に記載の光ピックアップ装置と、
前記光ピックアップ装置に対向可能に配置され、記録媒体を回転可能に支持するための記録媒体載置部と、
を備えた記録再生装置。
【発明の詳細な説明】
【技術分野】
【０００１】
本発明は、合成樹脂と金属を用いたハイブリッド型のピックアップフレーム、ピックアップフレームを用いた光ピックアップ装置、および光ピックアップ装置を用いた記録再生装置に関する。
【背景技術】
【０００２】
光学式情報記録媒体である光ディスク等にオーディオ信号、文字信号および映像信号等の情報を記録または再生する装置として、光学式情報記録再生装置（以下、「記録再生装置」という）が知られている。記録再生装置には、光ピックアップ装置が搭載されている。
この光ピックアップ装置には、発光素子として半導体レーザ素子が設けられている。光ピックアップ装置では、半導体レーザ素子から出射されるレーザ光が、光ディスク等の情報記録面に照射されることで記録マークが記入され、情報の記録が行われる。また、光ピックアップ装置から情報記録面に照射されたレーザ光の反射光を受光素子としての光検出器で受光することで、情報の再生が行われる。
しかし、近年、記録再生装置は、薄型ノートパソコンおよびビデオムービー等に用いられている。これら商品を利用するユーザーの負担を軽減するために、光ピックアップ装置も含めて記録再生装置の軽量化が望まれている。
【０００３】
そこで、半導体レーザ素子や受光素子等を搭載する光ピックアップ装置のピックアップフレームを、従来から用いられている金属部材から樹脂部材に変更することで軽量化が図られている。
しかしながら、樹脂部材のピックアップフレームは金属部材に比べると線膨張係数が大きいため、光ピックアップの高温動作時に熱膨張が起こり易く、熱膨張によるピックアップフレームの変形に伴って半導体レーザ素子、もしくは受光素子等の位置ズレが発生する。このため、正確な情報記録、もしくは光検出が困難になり、光ピックアップ装置の性能が著しく低下してしまう。
そこで、こうした光ピックアップ装置の軽量化と高温動作時の信頼性確保とを両立するために、ピックアップフレームを金属部材と樹脂部材とで構成するハイブリッド型のピックアップフレームが提案されている（例えば特許文献１および２を参照）。
【特許文献１】特開2002-184005号公報
【特許文献２】特開2007-157210号公報
【発明の開示】
【発明が解決しようとする課題】
【０００４】
しかし、従来のハイブリッド型ピックアップフレームでは、樹脂製の支持ベースの剛性が低く、捩れや折れ曲りといった変形が発生しやすい。ピックアップフレームの変形が生じると、光ピックアップ装置やそれを備えた記録再生装置の性能が低下する。
支持ベースの厚みを増すことで剛性を高めることはできるが、ピックアップフレーム全体の厚みが増大し、光ピックアップ装置や記録再生装置の大型化を招く。
本発明の課題は、大型化を抑制しつつ高剛性化が可能なピックアップフレームを提供することにある。
本発明の別の課題は、大型化を抑制しつつ性能を高めることができる光ピックアップ装置および記録再生装置を提供することにある。
【課題を解決するための手段】
【０００５】
第１の発明に係るピックアップフレームは、第１光学素子と、第２光学素子と、を有する光ピックアップ装置に用いられる。このピックアップフレームは、金属製の光学ベースと、合成樹脂製の支持ベースと、を備えている。光学ベースは、第２光学素子を支持する光学ベース本体と、光学ベース本体と連結され第１光学素子を支持する支持部と、を有している。支持ベースは、光学ベースを収容する収容部と、収容部に固定された部材であって第１光学素子の光軸方向において第１光学素子および第２光学素子の間に少なくとも一部が配置されたフレーム部と、を有している。
このピックアップフレームでは、収容部にフレーム部が配置されているため、収容部の剛性を高めることができる。さらに、第２光学素子の光軸方向において第１光学素子と第２光学素子との間にフレーム部の少なくとも一部が配置されているため、フレーム部によりピックアップフレーム全体の厚みが増大するのを抑制できる。したがって、このピックアップフレームでは、大型化を抑制しつつ高剛性化を実現できる。
【０００６】
第２の発明に係るピックアップフレームは、第１の発明に係るピックアップフレームにおいて、フレーム部の少なくとも一部は、光軸方向において光学ベース本体および支持部の間に配置されている。
第３の発明に係るピックアップフレームは、第１または第２の発明に係るピックアップフレームにおいて、フレーム部は光軸方向に直交する第１方向に延びている。
第４の発明に係るピックアップフレームは、第１から第３のいずれかの発明に係るピックアップフレームにおいて、収容部は、光学ベースの側方に配置された第１側方部と、光学ベースに対して第１側方部の反対側に配置された第２側方部と、を有している。フレーム部の少なくとも一部は、第１側方部と第２側方部とを連結している。
第５の発明に係るピックアップフレームは、第１から第４のいずれかの発明に係るピックアップフレームにおいて、支持部は、光学ベース本体と隙間を空けて配置され第２光学素子が固定された固定部と、第１部分を光学ベース本体に連結する少なくとも１つの連結部と、を有している。フレーム部の少なくとも一部は、光軸方向において光学ベース本体と固定部との間に配置されている。
【０００７】
第６の発明に係るピックアップフレームは、第１から第５のいずれかの発明に係るピックアップフレームにおいて、フレーム部は、支持部の少なくとも一部が収容された凹部を有している。
第７の発明に係るピックアップフレームは、第１から第５のいずれかの発明に係るピックアップフレームにおいて、光学ベースの厚みは、光学ベースの厚みに対応する方向におけるフレーム部の第１寸法以上である。
第８の発明に係る光ピックアップ装置は、光を出射する第１光学素子としての発光素子と、発光素子から出射された光を処理する第２光学素子としての光学処理部と、光学処理部で処理された光を記録媒体に向けて集光する光照射部と、第１から第７のいずれかの発明に係るピックアップフレームと、を備えている。
【０００８】
この光ピックアップ装置では、第１から第７のいずれかの発明に係るピックアップフレームを備えているため、大型化を抑制しつつ性能を高めることができる。
第９の発明に係る記録再生装置は、第８の発明に係る光ピックアップ装置と、光ピックアップ装置に対向可能に配置され記録媒体を回転可能に支持するための記録媒体載置部と、を備えている。
この記録再生装置では、第８の発明に係る光ピックアップ装置を備えているため、大型化を抑制しつつ性能を高めることができる。
【発明の効果】
【０００９】
本発明に係るピックアップフレームでは、大型化を抑制しつつ高剛性化が可能である。
本発明に係る光ピックアップ装置および記録再生装置は、大型化を抑制しつつ性能を高めることができる。
【発明を実施するための最良の形態】
【００１０】
以下、図面を参照しながら本発明の実施形態について説明する。
＜記録再生装置の構成＞
図１および図２を用いて記録再生装置１の構成について説明する。図１に記録再生装置１の概略斜視図、図２に記録再生装置１の部分斜視図を示す。なお、以降の説明では、図１の右斜め方向をＸ軸方向、光ピックアップ装置４のトラッキング方向である図１の左右方向をＹ軸方向、Ｘ軸およびＹ軸に直交する方向（図１の上下方向）をＺ軸方向とし、図１において、右斜め上側をＸ軸方向正側、左側をＹ軸方向正側、上側をＺ軸方向正側とする。Ｘ軸方向は、発光素子１１（後述）から出射されるレーザ光の光軸Ａ１の方向と一致している。Ｙ軸方向は、受光素子１３（後述）に入射するレーザ光の光軸Ａ１の方向と一致している。
【００１１】
図１に示すように、記録再生装置１は主に、光ディスク２が回転可能に載置されるディスク載置部６と、ディスク載置部６上に載置され光ディスク２を回転させるスピンドルモータ７と、光ディスク２に対して情報の記録および再生を行う光ピックアップ装置４と、光ディスク２に対して光ピックアップ装置４を移動可能に支持する移動機構５と、を備えている。
移動機構５は主に、光ピックアップ装置４を移動させるために平行に配置された主軸９ａおよび副軸９ｂと、主軸９ａを回転させるモータ（図示せず）を備えた固定台１０と、を有している。
主軸９ａは、固定台１０にＹ軸方向に沿って配置されており、光ピックアップ装置４の後述するピックアップフレーム８に螺合するねじ部（図示せず）を有している。主軸９ａが回転することで、光ピックアップ装置４が光ディスク２の半径方向と平行なＹ軸方向に移動する。主軸９ａは、ピックアップフレーム８がＹ軸方向以外に移動するのを規制する機能も有している。
【００１２】
副軸９ｂは、主軸９ａ回りにピックアップフレーム８が回動するのを規制するとともに、ピックアップフレーム８をＹ軸方向に移動可能に支持している。光ピックアップ装置４は主軸９ａに沿って移動する。これにより、光ピックアップ装置４は光ディスク２に対して、外周側および内周側に移動可能である。なお、光ピックアップ装置４を光ディスク２に対して移動させる機構は、上述の機構に限定されない。
＜光ピックアップ装置の構成＞
図３から図６を用いて光ピックアップ装置４の構成について説明する。図３に光ピックアップ装置４の平面図、図４に光ピックアップ装置４の斜視図、図５にハイブリッド型のピックアップフレーム８の斜視図、図５に支持ベース３１の斜視図、図６に光学ベース３０の斜視図、図７（Ａ）に図３のVIIＡ−VIIＡ断面図、図７（Ｂ）に図３のVIIＢ−VIIＢ断面図、図８（Ａ）に図３のVIIIＡ−VIIIＡ断面図、図８（Ｂ）に図３のVIIIＢ−VIIIＢ断面図を示す。
【００１３】
図３に示すように、光ピックアップ装置４は、主に、金属製の部材と合成樹脂製の部材とを有するハイブリッド型のピックアップフレーム８と、レーザ光を出射する、たとえば半導体レーザ素子からなる発光素子１１（第１光学素子の一例）と、光ディスク（図示せず）で反射されたレーザ光の反射光を検出して電流に変換する受光素子１３（第１光学素子の一例）と、発光素子１１のレーザ光の強度を検出する強度センサ１５と、を備えている。
さらに、光ピックアップ装置４は、発光素子１１から出射されるレーザ光を反射させたり、平行光に変換したり、光ディスクからの反射光を反射させたりする光学処理部１７（第２光学素子の一例）と、光学処理部１７で平行光に変換されたレーザ光を光ディスクの情報記録面に集光し、その集光されたレーザ光の焦点を光ディスクの情報記録面に合わせるための対物レンズ（光照射部の一例）１９と、対物レンズ１９を光ディスクに対してフォーカス方向およびトラッキング方向（Ｙ軸方向）に駆動させるアクチュエータ２１と、を備えている。光学処理部１７は、回折格子、コリメートレンズ、検出レンズ、立上げプリズム等を含んでいる。
【００１４】
＜ピックアップフレーム＞
ピックアップフレーム８は、図３から図６に示すように、対物レンズ１９以外の光学部品、すなわち、発光素子１１、受光素子１３、光学処理部１７を支持する光学ベース３０と、強度センサ１５および光学ベース３０を支持する支持ベース３１と、を有している。
また、ピックアップフレーム８は、支持ベース３１のＸ軸方向の第１端（図３右端）に設けられ支持ベース３１がＹ軸方向以外の方向に可動するのを規制する第１規制部３６と、支持ベース３１のＸ軸方向の第２端（図３左端）に設けられ支持ベース３１がＹ軸方向の軸回りに回動するのを規制する第２規制部３８と、を有している。
（１）光学ベース
光学ベース３０は発光素子１１、受光素子１３および光学処理部１７を支持するための部材であり、光学ベース３０には発光素子１１、受光素子１３および光学処理部１７が接着剤により固定されている。光学ベース３０は、たとえば、亜鉛やマグネシウムやアルミニウム等を主成分とする合金製であり、ダイカストにより製造された熱伝導性が良好な金属製の部材である。光学ベース３０は、支持ベース３１より僅かに薄い概ね矩形の板状部材である。
【００１５】
図６に示すように、光学ベース３０は、光学処理部１７を支持する光学ベース本体４１と、受光素子１３を支持する受光素子支持部４２（支持部の一例）と、発光素子１１を支持する発光素子支持部４３（支持部の一例）と、を有している。光学ベース本体４１には光学処理部１７が収容される概ねＴ字状の開口４１ａが形成されている。
発光素子支持部４３は、第１フレーム部３４（後述）を跨ぐように形成された部分である。具体的には、発光素子支持部４３は、光学ベース本体４１とＹ軸方向に隙間を空けて配置された第１固定部４３ａと、第１固定部４３ａを光学ベース本体４１に連結する第１連結部４３ｂと、第１固定部４３ａからＸ軸方向正側に突出する１対の突出部４４と、を有している。
第１固定部４３ａおよび１対の突出部４４は概ね板状の部分であり、第１固定部４３ａおよび１対の突出部４４には発光素子１１が接着剤１１ａにより固定されている。第１固定部４３ａはＹ軸方向に長く延びている。第１固定部４３ａおよび１対の突出部４４により概ねＵ字形状の部分が形成されている。
【００１６】
第１連結部４３ｂは第１固定部４３ａのＺ軸方向の端部と光学ベース本体４１とを連結している。図８（Ａ）および図８（Ｂ）に示すように、発光素子支持部４３はＬ字型の断面形状を有している部分を含んでいる。第１固定部４３ａには発光素子１１から出射するレーザ光が通過する孔４３ｃが形成されている。
受光素子支持部４２は第２フレーム部３５（後述）を跨ぐように形成された部分である。具体的には、受光素子支持部４２は、Ｘ軸方向に光学ベース本体４１と隙間を空けて配置された第２固定部４２ａ（固定部の一例）と、第２固定部４２ａを光学ベース本体４１に連結する第２連結部４２ｂ（連結部の一例）と、を有している。
第２固定部４２ａはＸ軸方向に長い概ね板状の部分であり、第２固定部４２ａには受光素子１３が接着剤１３ａにより固定されている。第２連結部４２ｂは第２固定部４２ａのＺ軸方向の端部と光学ベース本体４１とを連結している。図７（Ａ）および図７（Ｂ）に示すように、受光素子支持部４２はＬ字型の断面形状を有している部分を含んでいる。第２固定部４２ａには受光素子１３に入射するレーザ光が通過する孔４２ｃが形成されている。
【００１７】
（２）支持ベース
支持ベース３１は、光学ベース３０を支持するための合成樹脂性の部材であり、一体形成されている。支持ベース３１には、光学ベース３０が収容される第１開口３３ａと、アクチュエータ２１が収容される第２開口３３ｂと、が形成されている。光学ベース３０は支持ベース３１の第１開口３３ａに接着剤により固定されている。温度変化による膨張および収縮を考慮して、光学ベース３０と支持ベース３１との間には隙間が確保されている。支持ベース３１の材質としては、例えば、LCP（液晶ポリマー樹脂）、PPS（ポリフェニレンサルファイド樹脂）が考えられる。
図５に示すように、支持ベース３１は、光学ベース３０を収容する収容部３１ｄと、収容部３１ｄに固定された第１フレーム部３４（フレーム部の一例）と、収容部３１ｄに固定された第２フレーム部３５（フレーム部の一例）と、を有している。
【００１８】
収容部３１ｄは、光学ベース３０のＹ軸方向正側に配置された第１部分３１ａ（第１側方部の一例）と、光学ベース３０のＸ軸方向正側に配置された第２部分３１ｂ（第１側方部の一例）と、光学ベース３０（より詳細には、受光素子１３）のＸ軸方向負側に配置された第３部分３１ｃ（第２側方部の一例）と、第２部分３１ｂと第３部分３１ｃとを連結する第４部分３１ｅと、を有している。
第１フレーム部３４は、Ｙ軸方向（発光素子１１の光軸Ａ１に直交する方向）に延びる部分であり、第１部分３１ａと第３部分３１ｃとを連結している。第１フレーム部３４は支持ベース３１の剛性を高めるためのリブとして機能している。
第１フレーム部３４は、第１フレーム部本体３４ａと、第１フレーム部本体３４ａからＺ軸方向に延びる１対の補強部３４ｂと、を有している。第１フレーム部本体３４ａは、厚み方向がＺ軸方向を向いた板状の部分である。１対の補強部３４ｂの間には、発光素子１１から出射されるレーザ光が通過する切欠き３４ｃが形成されている。
【００１９】
第２フレーム部３５は、Ｘ軸方向（受光素子１３の光軸Ａ２に直交する方向）に延びる部分であり、第１フレーム部３４と第２部分３１ｂとを連結している。第２フレーム部３５が第１フレーム部３４を介して第２部分３１ｂと第３部分３１ｃとを連結していると言える。第２フレーム部３５は、厚み方向がＹ軸方向を向く板状の部分であり、受光素子１３に入射するレーザ光が通過する切欠き３５ａを有している。
図７（Ａ）および図７（Ｂ）に示すように、光学ベース３０が支持ベース３１に固定されている状態では、第１フレーム部３４と発光素子支持部４３とが組み合わされている。具体的には、第１フレーム部３４の補強部３４ｂは、第１固定部４３ａのＸ軸方向正側であって第１連結部４３ｂのＺ軸方向負側に配置されており、第１固定部４３ａと第１連結部４３ｂとにより形成される凹部４３ｄに収容されている。発光素子支持部４３の第１固定部４３ａが第１フレーム部本体３４ａと補強部３４ｂとにより形成された凹部３４ｄに収容されていると考えることもできる。また、第１フレーム部３４と発光素子支持部４３とは、Ｚ軸方向およびＸ軸方向から見た場合に重なり合っている。
【００２０】
さらに、補強部３４ｂは、第１固定部４３ａと光学ベース本体４１とのＸ軸方向間に配置されており、発光素子支持部４３および光学ベース本体４１により形成される溝４３ｅに収容されている。光学ベース３０の厚みＬ１は第１フレーム部３４の寸法Ｌ１２（第１寸法）よりも大きい。このため、第１フレーム部３４は光学ベース３０の厚み寸法内に収容されている。
発光素子支持部４３と第１フレーム部３４との間には、隙間が確保されており、第１フレーム部３４と光学ベース本体４１との間にも隙間が確保されている。このため、光学ベース３０が温度変化により膨張あるいは収縮しても、光学ベース３０が第１フレーム部３４と接触しない。
図８（Ａ）および図８（Ｂ）に示すように、第２フレーム部３５と受光素子支持部４２とが組み合わされている。具体的には、第２フレーム部３５は、第２固定部４２ａのＹ軸方向正側であって第２連結部４２ｂのＺ軸方向負側に配置されており、第２固定部４２ａと第２連結部４２ｂとにより形成される凹部４２ｄに収容されている。第２フレーム部３５は、第２固定部４２ａと光学ベース本体４１とのＹ軸方向間に配置されており、受光素子支持部４２および光学ベース本体４１により形成される溝４２ｅに収容されている。また、第２フレーム部３５と受光素子支持部４２とは、Ｚ軸方向およびＹ軸方向から見た場合に重なり合っている。光学ベース３０の厚みＬ１は第２フレーム部３５の寸法Ｌ２２（第１寸法）よりも大きい。このため、第１フレーム部３４の場合と同様に、第２フレーム部３５は光学ベース３０の厚み寸法内に収容されている。
【００２１】
受光素子支持部４２と第２フレーム部３５との間には、隙間が確保されており、第２フレーム部３５と光学ベース本体４１との間にも隙間が確保されている。このため、光学ベース３０が温度変化により膨張あるいは収縮しても、光学ベース３０が第２フレーム部３５と接触しない。
＜特徴＞
以上に説明したピックアップフレーム８の特徴を以下にまとめる。
（１）
このピックアップフレーム８では、収容部３１ｄに第１フレーム部３４が配置されているため、収容部３１ｄの剛性を高めることができる。さらに、発光素子１１と光学処理部１７とのＸ軸方向間に第１フレーム部３４が配置されているため、第１フレーム部３４によりピックアップフレーム８全体の厚みが増大するのを抑制できる。したがって、このピックアップフレーム８では、大型化を抑制しつつ高剛性化を実現できる
また、第１フレーム部３４の場合と同様に、収容部３１ｄに第２フレーム部３５が配置されているため、収容部３１ｄの剛性を高めることができる。さらに、受光素子１３と光学処理部１７とのＹ軸方向間に第２フレーム部３５が配置されているため、第２フレーム部３５によりピックアップフレーム８全体の厚みが増大するのを抑制できる。したがって、このピックアップフレーム８では、大型化を抑制しつつ高剛性化を実現できる。
【００２２】
（２）
このピックアップフレーム８では、さらに第１フレーム部３４の補強部３４ｂが光学ベース本体４１および発光素子支持部４３のＸ軸方向間に配置されている。より詳細には、第１フレーム部３４は、第１固定部４３ａと光学ベース本体４１とのＸ軸方向間に配置されている。このように、第１フレーム部３４の一部が光学ベース３０に対してＺ軸方向に入りこんでいるため、大型化を抑制しやすくなる。
また、第１フレーム部３４の場合と同様に、第２フレーム部３５が光学ベース本体４１および受光素子支持部４２のＹ軸方向間に配置されている。より詳細には、第２フレーム部３５は、第２固定部４２ａと光学ベース本体４１とのＹ軸方向間に配置されている。このように、第２フレーム部３５の一部が光学ベース３０に対してＺ軸方向に入りこんでいるため、大型化を抑制しやすくなる。
【００２３】
特に、光学ベース３０の厚みＬ１が第２フレーム部３５の寸法Ｌ２２よりも大きいため、第２フレーム部３５が完全に光学ベース３０に入り込む構成を簡単に実現できる。
（３）
このピックアップフレーム８では、第１フレーム部３４により第１部分３１ａと第３部分３１ｃとが連結されているため、収容部３１ｄの剛性を高めることができる。
また、第２フレーム部３５により第１フレーム部３４を介して第２部分３１ｂと第３部分３１ｃとが連結されているため、収容部３１ｄの剛性を高めることができる。
（４）
以上に説明したように、この光ピックアップ装置４および記録再生装置１では、剛性の高いピックアップフレーム８を備えているため、ピックアップフレーム８の変形を抑制できる。つまり、大型化を抑制しつつ光学性能を高めることができる。
【００２４】
＜他の実施形態＞
本発明の具体的な構成は、前述の実施形態に限られるものではなく、発明の要旨を逸脱しない範囲で種々の変更および修正が可能である。
（１）
光学ベース３０および支持ベース３１の形状は、前述の実施形態に限定されない。他の実施形態に係るピックアップフレーム１０８を図９〜図１２に示す。図９はピックアップフレーム１０８の概略斜視図である。図１０は支持ベース１３１の概略斜視図である。図１１は光学ベース１３０の概略斜視図である。図１２（Ａ）は図９のXIIＡ−XIIＡ断面図、図１２（Ｂ）は図９のXIIＢ−XIIＢ断面図である。なお、前述の構成と実質的に同じ構成については、同じ符号を付し、その詳細な説明は省略する。
【００２５】
図９〜図１２（Ｂ）に示すように、このピックアップフレーム１０８では、光学ベース１３０は、光学ベース本体４１と、受光素子支持部１４２と、発光素子支持部４３と、を有している。受光素子支持部１４２は、第２固定部１４２ａと、第２固定部１４２ａと光学ベース本体４１とを連結する２つの第２連結部１４２ｂと、を有している。第２連結部１４２ｂはＹ軸方向に延びる円柱状の部分である。
一方、支持ベース１３１の第２フレーム部１３５は、中央付近に形成された第１切欠き１３５ａと、切欠き１３５ａの両側に配置された２つの第２切欠き１３５ｂ（凹部の一例）を有している。第２切欠き１３５ｂは第２連結部１４２ｂが貫通している。第２連結部１４２ｂと第２フレーム部１３５とは接触していない。第２連結部１４２ｂが第２切欠き１３５ｂを貫通しているため、第２フレーム部１３５のＺ軸方向の寸法を前述の第２フレーム部３５よりも大きく設定できる。
【００２６】
このピックアップフレーム１０８であっても、前述のピックアップフレーム８と同様に、大型化を抑制しつつ高剛性化が可能となる。
（２）
また、図１３および図１４に示すように、支持ベース３１が底板を有していてもよい。図１３および図１４に示す支持ベース２３１は、底板２３９を有している。前述の支持ベース３１に底板２３９が一体形成されている形状が支持ベース２３１に相当する。
この場合、ピックアップフレーム２０８全体の厚みは底板２３９の分だけ増大するが、底板２３９により支持ベース２３１の剛性がさらに高まる。このため、剛性がより重要となる場合に、このような底板２３９は有効となる。
（３）
前述の実施形態では、第２フレーム部３５により第１フレーム部３４を介して第２部分３１ｂと第３部分３１ｃとが連結されているが、第２フレーム部３５により第２部分３１ｂと第３部分３１ｃとが直接連結されていてもよい。逆に、第１フレーム部３４により第２フレーム部３５を介して第１部分３１ａと第３部分３１ｃとが連結されていてもよい。
【産業上の利用可能性】
【００２７】
本発明に係るピックアップフレームでは、大型化を抑制しつつ高剛性化が可能となるため、本発明は光ピックアップ装置および記録再生装置の分野において有用である。
【図面の簡単な説明】
【００２８】
【図１】記録再生装置の概略斜視図
【図２】記録再生装置の一部の概略斜視図
【図３】光ピックアップ装置の平面図
【図４】ピックアップフレームの概略斜視図
【図５】支持ベースの概略斜視図
【図６】光学ベースの概略斜視図
【図７】（Ａ）図３のVIIＡ−VIIＡ断面図、（Ｂ）図３のVIIＢ−VIIＢ断面図
【図８】（Ａ）図３のVIIIＡ−VIIIＡ断面図、（Ｂ）図３のVIIIＢ−VIIIＢ断面図
【図９】ピックアップフレームの概略斜視図（他の実施形態）
【図１０】支持ベースの概略斜視図（他の実施形態）
【図１１】光学ベースの概略斜視図（他の実施形態）
【図１２】（Ａ）図９のXIIＡ−XIIＡ断面図、（Ｂ）図９のXIIＢ−XIIＢ断面図（他の実施形態）
【図１３】ピックアップフレームの概略斜視図（他の実施形態）
【図１４】図１３のXIV−XIV断面図（他の実施形態）
【符号の説明】
【００２９】
１  記録再生装置
２  光ディスク（光学式情報記録媒体）
３  ディスクカートリッジ
４  光ピックアップ装置
８  ピックアップフレーム
９ａ  主軸
９ｂ  副軸
１０  固定台
１１  発光素子（第１光学素子の一例）
１３  受光素子（第１光学素子の一例）
１７  光学処理部（第２光学素子の一例）
１９  対物レンズ（光照射部の一例）
３０  光学ベース
３１  支持ベース
３２  ベース部材
３４  第１フレーム部（フレーム部の一例）
３４ａ  第１フレーム部本体
３４ｂ  補強部
３４ｄ  凹部
３５  第２フレーム部（フレーム部の一例）
３５ａ  切欠き
４１  光学ベース本体
４２  受光素子支持部（支持部の一例）
４２ａ  第２固定部
４２ｂ  第２連結部
４２ｃ  孔
４２ｄ  凹部
４２ｅ  溝（凹部の一例）
４３  発光素子支持部（支持部の一例）
４３ａ  第１固定部
４３ｂ  第１連結部
４３ｃ  孔
４３ｄ  凹部
４３ｅ  溝（凹部の一例）
【図１】
2010027103.tif 000003
【図２】
2010027103.tif 000004
【図３】
2010027103.tif 000005
【図４】
2010027103.tif 000006
【図５】
2010027103.tif 000007
【図６】
2010027103.tif 000008
【図７】
2010027103.tif 000009
【図８】
2010027103.tif 000010
【図９】
2010027103.tif 000011
【図１０】
2010027103.tif 000012
【図１１】
2010027103.tif 000013
【図１２】
2010027103.tif 000014
【図１３】
2010027103.tif 000015
【図１４】
2010027103.tif 000016